(57)【要約】【課題】撮像素子に固有の撮影感度よりも低い撮影感度により撮影することが可能な撮像装置を提供する。【解決手段】被写体光像を結像するための撮影光学系１と、この撮影光学系１により結像された被写体光像を光電変換して電気信号として出力する撮像素子１０と、撮影感度を設定するためのＩＳＯ感度設定部２８と、撮影光学系１と撮像素子１０との間の光路上に挿脱可能に配設され光路上に位置しているときには撮影光学系１からの光を所定の透過率により透過するように構成されたハーフミラー５と、ＩＳＯ感度設定部２８により設定された撮影感度に応じてハーフミラー５を光路上に位置させるかまたは光路上から退避させるかを制御するシステムコントローラ１６と、を備えた撮像装置。【選択図】図１
2008136147.tif 000002
【特許請求の範囲】
【請求項１】
被写体光像を結像するための撮影光学系と、
この撮影光学系により結像された被写体光像を光電変換して電気信号として出力する撮像素子と、
撮影感度を設定するための感度設定部と、
上記撮影光学系と上記撮像素子との間の光路上に挿脱可能に配設され、光路上に位置しているときには上記撮影光学系からの光を所定の透過率により透過するように構成されたハーフミラーと、
上記感度設定部により設定された撮影感度に応じて、上記ハーフミラーを上記光路上に位置させるかまたは該光路上から退避させるかを制御する制御部と、
を具備したことを特徴とする撮像装置。
【請求項２】
上記撮像素子から出力される電気信号を増幅する増幅部をさらに具備し、
上記制御部は、上記ハーフミラーを上記光路上に位置させるように制御するときと、上記ハーフミラーを上記光路上から退避させるように制御するときと、の何れにおいても、上記感度設定部により設定された撮影感度に応じて、上記増幅部の増幅率を制御するものであることを特徴とする請求項１に記載の撮像装置。
【請求項３】
上記ハーフミラーは、上記感度設定部において設定可能な最低の撮影感度と上記撮像素子に固有の撮影感度との比に相応した値が、上記所定の透過率となるように構成されたものであることを特徴とする請求項１に記載の撮像装置。
【請求項４】
上記ハーフミラーが上記光路上に位置しているときの該ハーフミラーの反射光路上に配設されたファインダ光学系をさらに具備したことを特徴とする請求項１に記載の撮像装置。
【発明の詳細な説明】
【技術分野】
【０００１】
本発明は、撮像装置、より詳しくは、撮影感度を設定し得るように構成された撮像装置に関する。
【背景技術】
【０００２】
近年、撮像装置は、デジタルカメラやデジタルビデオカメラ等として販売されるだけでなく、携帯電話に搭載されるなど、画像を撮影するための機器として身近に普及している。
【０００３】
このように手軽に画像を撮影することができるようになった撮像装置において、近年、手ぶれを防止する技術が注目されている。
【０００４】
手ぶれ防止として採用される技術は、種々のものがあるが、その１つが撮像素子の高感度化である。つまり、撮像素子が高感度であると、より早いシャッタ速度が可能となるために、手ぶれの発生を抑制することができるというものである。この撮像素子の高感度化は、手ぶれを軽減するのに役立つだけでなく、比較的暗い撮影シーンであっても補助光を発光させることなく撮影することができ、環境光を利用した自然な画像を得ることができるという利点があるものとなっている。
【０００５】
また、撮像素子には固有の撮影感度が存在するが、従来の撮像装置においては、撮像素子の出力の増幅率を制御することにより、この撮像素子固有の撮影感度よりも高感度に設定可能とする技術が用いられている。
【発明の開示】
【発明が解決しようとする課題】
【０００６】
しかしながら、撮像装置は、晴天下から夜景までの広いダイナミックレンジのシーンに使用されるものであるために、撮像素子が高感度化されることが、必ずしも全ての撮影シーンでメリットを生じさせるものとはいえない。
【０００７】
例えば、撮像装置が取り得るシャッタ速度には上限があるために、高感度化された撮像素子により輝度の高い撮影シーンを撮影すると、上限のシャッタ速度をもってしても、高輝度部分が飽和してしまうことがあり得る。
【０００８】
また、例えば、ポートレート撮影や花などの近接撮影においては、主要被写体を強調し、無駄な背景をぼかすために、絞りをなるべく大きく開口させることがある。このときには、シャッタ速度を速くすることになるが、日中の撮影においては、例えば１／８０００（秒）程度のシャッタ速度であっても、所望の絞り開口では適正露出とはならないことがある。従来の銀塩カメラでは、このような場合になるべく低感度のフィルムを用いることによって、より所望の絞り値に近付けることが可能であったが、電子的な撮像装置においては一般に撮像素子は固定であるために、撮像素子に固有の撮影感度により撮影を行わざるを得ない。
【０００９】
このように、撮像素子に固有の撮影感度よりも低い撮影感度が望まれる撮影シーンがあるにも関わらず、従来の撮像装置は、所望の低い撮影感度に設定することができなかった。
【００１０】
本発明は上記事情に鑑みてなされたものであり、撮像素子に固有の撮影感度よりも低い撮影感度により撮影することが可能な撮像装置を提供することを目的としている。
【課題を解決するための手段】
【００１１】
上記の目的を達成するために、第１の発明による撮像装置は、被写体光像を結像するための撮影光学系と、この撮影光学系により結像された被写体光像を光電変換して電気信号として出力する撮像素子と、撮影感度を設定するための感度設定部と、上記撮影光学系と上記撮像素子との間の光路上に挿脱可能に配設され光路上に位置しているときには上記撮影光学系からの光を所定の透過率により透過するように構成されたハーフミラーと、上記感度設定部により設定された撮影感度に応じて上記ハーフミラーを上記光路上に位置させるかまたは該光路上から退避させるかを制御する制御部と、を具備したものである。
【００１２】
また、第２の発明による撮像装置は、上記第１の発明による撮像装置において、上記撮像素子から出力される電気信号を増幅する増幅部をさらに具備し、上記制御部は、上記ハーフミラーを上記光路上に位置させるように制御するときと、上記ハーフミラーを上記光路上から退避させるように制御するときと、の何れにおいても、上記感度設定部により設定された撮影感度に応じて、上記増幅部の増幅率を制御するものである。
【００１３】
さらに、第３の発明による撮像装置は、上記第１の発明による撮像装置において、上記ハーフミラーが、上記感度設定部において設定可能な最低の撮影感度と上記撮像素子に固有の撮影感度との比に相応した値が上記所定の透過率となるように構成されたものである。
【００１４】
第４の発明による撮像装置は、上記第１の発明による撮像装置において、上記ハーフミラーが上記光路上に位置しているときの該ハーフミラーの反射光路上に配設されたファインダ光学系をさらに具備したものである。
【発明の効果】
【００１５】
本発明の撮像装置によれば、撮像素子に固有の撮影感度よりも低い撮影感度により撮影することが可能となる。
【発明を実施するための最良の形態】
【００１６】
以下、図面を参照して本発明の実施の形態を説明する。
【００１７】
［実施形態１］
図１から図４は本発明の実施形態１を示したものであり、図１は撮像装置の構成を示すブロック図である。
【００１８】
この撮像装置は、図１に示すように、被写体光像を結像するための撮影光学系１を有している。この撮影光学系１は、被写体光束の通過範囲を規定することにより光量を調節するための絞り２と、焦点位置を調節するためのフォーカスレンズ３と、を備えて構成されている。
【００１９】
上述した撮影光学系１の光路上後方には、例えばクイックリターンミラーとして構成された可動式のハーフミラー５が、該光路上に挿脱可能となるように配設されている。このハーフミラー５は、光路上に位置するときには、光束の一部を透過するとともに、光束の他の一部を反射するものである。このハーフミラー５の透過率は、後で詳しく説明するように、後述する撮像素子１０に固有のＩＳＯ感度（撮影感度）（本実施形態においてはＩＳＯ４００）と、この撮像装置において設定可能な最低のＩＳＯ感度（撮影感度）（本実施形態においてはＩＳＯ１００）と、に基づき（本実施形態においては１／４（つまり、２５％）となるように）定められている。
【００２０】
ハーフミラー５の反射光路上には、ファインダ光学系６が配設されている。このファインダ光学系６は、撮影光学系１に対して後述する撮像素子１０と光学的に等価な位置に配設されているフォーカシングスクリーン７と、このフォーカシングスクリーン７に結像した被写体光像を正立正像に変換するペンタプリズム８と、このペンタプリズム８から射出された像を拡大して撮影者の眼に投影するための接眼レンズ９と、を有して構成されている。
【００２１】
一方、ハーフミラー５の透過光路上、またはハーフミラー５が光路上から退避したときの撮影光学系１の光路上には、被写体光像を光電変換して電気信号として出力するための撮像素子１０が配設されている。この撮像素子１０に固有のＩＳＯ感度は、本実施形態においては、上述したようにＩＳＯ４００となっているものとする。
【００２２】
この撮像素子１０からのアナログ信号は、撮像回路１１に入力されて、該撮像回路１１に含まれる増幅部により信号増幅が行われるとともに、該撮像回路１１によりその他のアナログ信号処理が行われる。さらに、この撮像回路１１からのアナログ信号は、Ａ／Ｄ変換器１２に入力されて、デジタル信号に変換される。
【００２３】
このＡ／Ｄ変換器１２からのデジタル化された画像信号は、オートフォーカス（ＡＦ）回路１３と、自動露出制御（ＡＥ）回路１４と、オートホワイトバランス（ＡＷＢ）回路１５と、に各入力されるようになっている。
【００２４】
オートフォーカス（ＡＦ）回路１３は、画像信号に基づき、被写体までの距離を算出して、算出した被写体距離に基づき上述したフォーカスレンズ３の合焦位置を決定し、ＡＦ値として出力するものである。
【００２５】
自動露出制御（ＡＥ）回路１４は、画像信号に基づき、被写体の輝度を算出して、算出した被写体輝度に基づき露出値を決定し、ＡＥ値として出力するものである。
【００２６】
オートホワイトバランス（ＡＷＢ）回路１５は、画像信号に基づき、被写体のホワイトバランス値を算出して、ＡＷＢ値として出力するものである。
【００２７】
これらＡＦ回路１３からのＡＦ値と、ＡＥ回路１４からのＡＥ値と、ＡＷＢ回路１５からのＡＷＢ値とは、システムコントローラ１６に入力されるようになっている。
【００２８】
システムコントローラ１６は、この撮像装置全体を統括的に制御するための制御部である。このシステムコントローラ１６は、所定のデータやプログラムライン等に基づいて、上述したように入力されるＡＦ値，ＡＥ値，ＡＷＢ値を評価し、これらが適切な値であるか否かを判断して、その判断結果に応じて必要な補正を各回路に行わせるように制御するものとなっている。
【００２９】
すなわち、システムコントローラ１６は、ＡＦ回路１３から得たＡＦ値に基づき焦点位置を調節する必要があると判断した場合には、フォーカスモータ駆動回路１８にその旨の指令を送ってフォーカスモータ１９を駆動させ、フォーカスレンズ３を移動させることにより焦点位置を適切な位置に調整させる（オートフォーカスに係る一連の処理を、以下ではＡＦ処理という）。
【００３０】
また、システムコントローラ１６は、ＡＥ回路１４から得たＡＥ値に基づき露出を調節する必要があると判断した場合には、絞り駆動回路１７にその旨の指令を送って絞り２を駆動させて適切な絞り量に調整させるとともに、撮像素子１０にその旨の指令を送って電荷蓄積時間を制御させることによりいわゆる素子シャッタのシャッタ時間を調整させ、あるいは撮像回路１１にその旨の指令を送って信号のゲインを調整させる（自動露出制御に係る一連の処理を、以下ではＡＥ処理という）。
【００３１】
さらに、システムコントローラ１６は、ＡＷＢ回路１５から得たＡＷＢ値に基づきホワイトバランスを調節する必要があると判断した場合には、撮像回路１１にその旨の指令を送って各色信号毎の増幅率を異ならせる等によりカラーバランスを調整させる（オートホワイトバランスに係る一連の処理を、以下ではＡＷＢ処理という）。
【００３２】
このシステムコントローラ１６には、撮像動作を入力するための２段スイッチでなるレリーズスイッチ２７と、ＩＳＯ感度を設定するための感度設定部たるＩＳＯ感度設定部２８と、が接続されている。ここに、ＩＳＯ感度設定部２８により設定可能なＩＳＯ感度は、本実施形態においては、ＩＳＯ１００〜ＩＳＯ３２００であるものとする（図３参照）。
【００３３】
そして、システムコントローラ１６は、ＩＳＯ感度設定部２８を介してＩＳＯ感度の設定が行われた場合には、該設定されたＩＳＯ感度に応じて撮像回路１１に指令を送り、画像信号を増幅させるように制御する。
【００３４】
また、システムコントローラ１６は、上述したハーフミラー５の駆動制御も行うようになっている。すなわち、システムコントローラ１６は、上述したレリーズスイッチ２７を介して撮影の指示入力があった場合には、後述するように、ＩＳＯ感度設定部２８を介して設定されたＩＳＯ感度を所定のＩＳＯ感度と比較する。そして、システムコントローラ１６は、ＩＳＯ感度が所定のＩＳＯ感度以上であると判定した場合には、駆動回路２０に必要な制御命令を送って、駆動モータ２１を駆動させることによりハーフミラー５を光路上から退避させるように駆動する。その後、撮像処理を行って撮像素子１０への露光が終了した場合には、システムコントローラ１６は、駆動回路２０に必要な制御命令を送って、駆動モータ２１を駆動させることにより該ハーフミラー５を再び光路上に復帰させる。また、システムコントローラ１６は、ＩＳＯ感度が所定のＩＳＯ感度未満であると判定した場合には、ハーフミラー５を光路上から退避させることなく光路上に位置させたまま、撮像処理を行わせるように制御する。
【００３５】
一方、上記Ａ／Ｄ変換器１２の出力は、メモリ２２に一旦記憶された後に、画像処理回路２３に入力されて、該画像処理回路２３により各種のデジタル信号処理が行われるようになっている。ここに、画像処理回路２３は、画像信号をＬＣＤ２５に表示するための信号処理と、画像信号を記録媒体２６に記録するための圧縮処理等を含む信号処理と、の両方を行うようになっている。
【００３６】
この画像処理回路２３により表示用に処理された画像信号は、ＬＣＤインターフェース（Ｉ／Ｆ）２４を介してＬＣＤ２５へ出力され、観察可能な画像として表示される。
【００３７】
また、画像処理回路２３により記録用に処理された画像信号は、この撮像装置に例えば着脱自在となるように構成されたメモリカード等の記録媒体２６に記録されるようになっている。
【００３８】
次に、図２は撮像装置の動作を示すフローチャートである。
【００３９】
この撮像装置は、電源がオフである間は、電源がオンになるのを待機している（ステップＳ１）。
【００４０】
そして、電源がオンになった場合には、所定の初期設定等を行う。この初期設定には、この撮像装置のＩＳＯ感度の設定も含まれており、撮影者がＩＳＯ感度設定部２８を介してＩＳＯ感度の設定を行った場合には、その設定値がＩＳＯ感度として用いられる。また、撮影者からの設定がない場合には、予め定められた初期値がＩＳＯ感度として用いられる（ステップＳ２）。
【００４１】
その後、レリーズスイッチ２７の１段目がオンになるのを待機する（ステップＳ３）。
【００４２】
そして、レリーズスイッチ２７の１段目がオンになった場合には、上述したＡＦ処理を行うと共に（ステップＳ４）、上述したＡＥ処理を行う（ステップＳ５）。
【００４３】
続いて、レリーズスイッチ２７の２段目がオンになるのを待機する（ステップＳ６）。なお、レリーズスイッチ２７の２段目がオンになるのを待機している間は、ステップＳ４のＡＦ処理やステップＳ５のＡＥ処理は行われないために、つまり、ＡＥロックおよびＡＦロックが行われていることになる。
【００４４】
ここで、レリーズスイッチ２７の２段目がオンになった場合には、上述したステップＳ２において設定されたＩＳＯ感度が、４００以上であるかまたは４００未満であるかを判定する（ステップＳ７）。
【００４５】
そして、ＩＳＯ４００未満であると判定された場合には、ハーフミラー５を光路上に挿入する処理を行う（ステップＳ８）。ただし、通常の一眼レフレックスタイプの撮像装置は、ファインダ光学系６を介して観察を行うものであって、レリーズスイッチ２７の２段目がオンされるまではハーフミラー５が光路上に位置していることになるために、ここでは実際には何も行わない。これに対して、後述するような特別な一眼レフレックスタイプの撮像装置では、ここでハーフミラー５を光路上に実際に挿入する処理を行うことになるが、これについては後で述べる。
【００４６】
また、ＩＳＯ４００以上であると判定された場合には、システムコントローラ１６は、駆動回路２０を介して駆動モータ２１を駆動させることにより、ハーフミラー５を光路上から退避する処理を行う（ステップＳ９）。
【００４７】
その後、ステップＳ４およびステップＳ５の処理を行ったとき、すなわち、ＡＦ処理やＡＥ処理を行ったときと比較して、ハーフミラー５の位置が変化しているか否かを判定する（ステップＳ１０）。上述したような通常の一眼レフレックスタイプの撮像装置の場合には、ステップＳ９の処理を行ったとき（ステップＳ７においてＩＳＯ感度が４００以上であると判定されたとき）に、ハーフミラー５の位置が変化していると判定される。
【００４８】
ここで、ハーフミラー５の位置が変化したと判定された場合には、ハーフミラー５の介在の下に行ったステップＳ４のＡＦ処理結果およびステップＳ５のＡＥ処理結果が、ハーフミラー５を退避させたときのＡＦ処理結果およびＡＥ処理結果となるように、ＡＥ補正およびＡＦ補正を行う（ステップＳ１１）。すなわち、ハーフミラー５が光路上に位置しているときに測定したＡＥ値は、ハーフミラー５を退避させたときには、該ハーフミラー５の透過率が２５％であって撮像素子１０に到達する光量が４倍に増えることに対応する＋２段分の補正（ＥＶ値が２増加することに応じて、絞りを２段絞る、あるいはシャッタ速度を２段速くするなど）を行う必要がある。同様に、ハーフミラー５が光路上に位置しているときに測定したＡＦ値は、ハーフミラー５を退避させたときには、該ハーフミラー５の光路長と空気の光路長との差分だけＡＦ補正を行う必要がある。これらの補正に必要なデータは、システムコントローラ１６内の記憶部に予め記憶されていて、システムコントローラ１６は、これらの情報を記憶部から読み出して補正を行うようになっている。
【００４９】
このステップＳ１１の処理が終了するか、または、ステップＳ１０においてハーフミラー５の位置が変化しておらずＡＥ補正やＡＦ補正を行う必要がないと判定された場合には、撮像素子１０による撮像処理を行って（ステップＳ１２）、撮像回路１１によりＩＳＯ感度に応じた画像信号の増幅を行う（ステップＳ１３）。
【００５０】
このステップＳ１３におけるＩＳＯ感度に応じた画像信号の増幅は、図３に示すように行われる。ここに、図３は、設定されているＩＳＯ感度とハーフミラー５が光路上に位置するか否かとに応じた、撮像回路１１の増幅率を示す図表である。
【００５１】
撮像素子１０に固有のＩＳＯ感度は、上述したようにＩＳＯ４００である。そして、設定されているＩＳＯ感度が１００である場合には、ハーフミラー５が光路上に位置する（図３においては、これを記号「Ｄ］により表している）ことになる（ステップＳ８参照）ために、２５％の透過率のハーフミラー５を介した撮像素子１０のＩＳＯ感度は、実質的にＩＳＯ１００となる。従って、設定されているＩＳＯ感度と一致するために、信号増幅は行われず、ゲインは１である。
【００５２】
これに対して、設定されているＩＳＯ感度が２００である場合には、ハーフミラー５が光路上に位置する（Ｄ）だけでは撮像素子１０のＩＳＯ感度が上述したように実質的にＩＳＯ１００となってしまうために、ゲインを２として２倍の信号増幅を行う。これにより、撮像素子１０の実質的なＩＳＯ感度がＩＳＯ２００となる。
【００５３】
さらに、設定されているＩＳＯ感度が４００である場合には、ハーフミラー５が光路上から退避する（図３においては、これを記号「Ｕ］により表している）ことになり（ステップＳ９参照）、かつこの状態のままで撮像素子１０に固有のＩＳＯ感度と一致するために、信号増幅は行われず、ゲインは１である。
【００５４】
その後は、通常の撮像装置と同様に、設定されているＩＳＯ感度が８００，１６００，３２００となるにつれて、ゲインが２，４，８となる。
【００５５】
このような信号増幅の処理が終了したら、続いて、撮像回路１１により、ＡＷＢ処理を行う（ステップＳ１４）。
【００５６】
その後、画像処理回路２３により記録用の画像処理を行うとともに（ステップＳ１５）、撮影後の画像をＬＣＤ２５に表示する設定がなされている場合には、表示用の画像処理を行ってＬＣＤ２５に表示する。
【００５７】
そして、記録用に画像処理された画像を記録媒体２６に記録して（ステップＳ１６）、この処理を終了する。
【００５８】
次に、図４は、撮像素子のＩＳＯ感度設定部２８により設定可能な最低ＩＳＯ感度と、撮像素子１０に固有のＩＳＯ感度と、に応じて決定されるハーフミラー５の透過率を示す図表である。
【００５９】
ハーフミラー５の透過率Ｔは、撮像素子のＩＳＯ感度設定部２８により設定可能な最低ＩＳＯ感度Ｓminと、撮像素子１０に固有のＩＳＯ感度Ｓ0と、に基づき、次の数式１に示すように決定される。  
［数１］
Ｔ＝Ｓmin／Ｓ0
【００６０】
従って、図４に幾つかの例を示すように、例えば、撮像素子に固有のＩＳＯ感度Ｓ0が１００であって、撮像素子のＩＳＯ感度設定部２８により設定可能な最低ＩＳＯ感度Ｓminを２５としたい場合には、ハーフミラー５の透過率Ｔを、Ｔ＝２５／１００＝０．２５として算出し、つまり２５％の透過率となるようにハーフミラー５を設計すれば良い。
【００６１】
ここに、ハーフミラー５の透過率を例えば上記２５％とした場合には、ハーフミラー５による反射光の光量は約７５％となるために、ファインダ光学系６による観察時にもそれほど視野が暗いと感じることはなく、実用性が高い。
【００６２】
ただし、ハーフミラー５の透過率Ｔは、必ずしも数式１に示した値に正確に一致する必要はなく、要求されるカメラの性能に応じた誤差が許されることはもちろんである。
【００６３】
なお、上述では、撮影光学系１からの光量を減光させて、撮像素子１０の実質的なＩＳＯ感度を低くする部材として、ハーフミラー１枚を用いる構成を例に挙げたが、これに限るものではない。例えば、ハーフミラーと、ＮＤフィルタと、の両方を光路上に挿脱自在に構成して、これらを組み合わせて何種類かの低いＩＳＯ感度を達成するようにしても良い。具体的には、例えば、５０％の透過率のハーフミラーと、５０パーセントの透過率のＮＤフィルタと、を組み合わせる場合に、ハーフミラーとＮＤフィルタとの両方を光路上に配置すれば、固有のＩＳＯ感度が４００である撮像素子は、実質的にＩＳＯ１００の感度となる。また、ハーフミラーのみを光路上に配置し、ＮＤフィルタを光路上から退避させれば、撮像素子の実質的なＩＳＯ感度は２００となる。そして、１枚のハーフミラーと複数枚のＮＤフィルタとを組み合わせるようにしても良いために、所望の低ＩＳＯ感度を達成することも可能となる（なお、複数枚のハーフミラーを用いると、複数の反射光が生じてしまうために、ハーフミラーを用いるのは１枚のみとすることが望ましいと考えられる）。
【００６４】
また、上述では、撮像装置が、通常の一眼レフレックスタイプの撮像装置であること、つまり、被写体の観察をファインダ光学系６のみを介して行う撮像装置であること、を前提として説明した。しかし、本実施形態の図１に示したような撮像装置は、撮影光学系１からの被写体光像が撮像素子１０上に常時結像される構成となっているために、ＬＣＤ２５を被写体を観察するためのモニタとして用いることも可能である（このような撮像装置を、以下では、ライブビュータイプの撮像装置、略してＬＶ型撮像装置ということにする）。
【００６５】
このＬＶ型撮像装置では、ハーフミラー５が光路上に位置するときには、ＬＣＤ２５を介しての観察と、ファインダ光学系６を介しての観察と、の両方が可能であり、一方、ハーフミラー５が光路上から退避しているときには、ＬＣＤ２５を介しての観察のみが可能である。
【００６６】
そして、図２のステップＳ８に示したミラーダウンの処理が実際に行われることになるのは、ハーフミラー５を光路上から退避させてＬＣＤ２５により観察を行っているとき、すなわち、ハーフミラー５を光路上から退避させてステップＳ４のＡＦ処理およびステップＳ５のＡＥ処理を行ったときである。このときに、ステップＳ７においてＩＳＯ感度が４００未満であると判定されると、ステップＳ８においてミラーダウン処理が実際に行われる。
【００６７】
その結果、ステップＳ１０においてハーフミラー５の位置が変化したと判定されることになるために、ステップＳ１１においてＡＥ補正およびＡＦ補正が行われる。このときには、ハーフミラー５が光路上から退避した状態で行ったステップＳ４のＡＦ処理結果およびステップＳ５のＡＥ処理結果が、ハーフミラー５を光路上に位置させたときのＡＦ処理結果およびＡＥ処理結果となるように、ＡＥ補正およびＡＦ補正を行うことになる。すなわち、ハーフミラー５が光路上から退避しているときに測定したＡＥ値は、ハーフミラー５を光路上に位置させたときには、該ハーフミラー５の透過率が２５％であって撮像素子１０に到達する光量が１／４倍に減ることに対応する−２段分の補正（ＥＶ値が２減少することに応じて、絞りを２段開ける、あるいはシャッタ速度を２段遅くするなど）を行う必要がある。同様に、ハーフミラー５が光路上から退避しているときに測定したＡＦ値は、ハーフミラー５を光路上に位置させたときには、該ハーフミラー５の光路長と空気の光路長との差分だけＡＦ補正を行う必要がある。そして、これらの補正に必要なデータは、上述したように、システムコントローラ１６内の記憶部に予め記憶させておいて、システムコントローラ１６が、これらの情報を記憶部から読み出して補正を行うようにすれば良い。
【００６８】
なお、上述では一眼レフレックスタイプの撮像装置を例に挙げたが、これに限らず、コンパクトカメラタイプやその他の撮像装置においても、同様の技術を適用して、撮像素子に固有のＩＳＯ感度よりも低いＩＳＯ感度を達成することが可能となる。
【００６９】
このような実施形態１によれば、設定されているＩＳＯ感度が撮像素子に固有のＩＳＯ感度よりも低い場合には、所定の透過率のハーフミラーを光路中に位置させた状態で撮像を行うようにしたために、撮像素子に固有のＩＳＯ感度よりも低いＩＳＯ感度により撮影することが可能となる。
【００７０】
このとき、さらに撮像回路による信号増幅を併用するようにしたために、中間の低感度を達成することも可能となる。
【００７１】
加えて、ハーフミラーの反射光路上にファインダ光学系を配置したために、被写体の光学的な観察も同時に行うことが可能となる。
【００７２】
なお、本発明は上述した実施形態に限定されるものではなく、発明の主旨を逸脱しない範囲内において種々の変形や応用が可能であることは勿論である。
【産業上の利用可能性】
【００７３】
本発明は、撮影感度を設定し得るように構成された撮像装置に好適に利用することができる。
【図面の簡単な説明】
【００７４】
【図１】本発明の実施形態１における撮像装置の構成を示すブロック図。
【図２】上記実施形態１における撮像装置の動作を示すフローチャート。
【図３】上記実施形態１において、設定されているＩＳＯ感度とハーフミラーが光路上に位置するか否かとに応じた、撮像回路の増幅率を示す図表。
【図４】上記実施形態１において、撮像素子のＩＳＯ感度設定部により設定可能な最低ＩＳＯ感度と、撮像素子に固有のＩＳＯ感度と、に応じて決定されるハーフミラーの透過率を示す図表。
【符号の説明】
【００７５】
１…撮影光学系
２…絞り
３…フォーカスレンズ
５…ハーフミラー
６…ファインダ光学系
７…フォーカシングスクリーン
８…ペンタプリズム
９…接眼レンズ
１０…撮像素子
１１…撮像回路（増幅部を含む）
１２…Ａ／Ｄ変換器
１３…ＡＦ回路
１４…ＡＥ回路
１５…ＡＷＢ回路
１６…システムコントローラ（制御部）
１７…絞り駆動回路
１８…フォーカスモータ駆動回路
１９…フォーカスモータ
２０…駆動回路
２１…駆動モータ
２２…メモリ
２３…画像処理回路
２４…ＬＣＤインターフェース（Ｉ／Ｆ）
２５…ＬＣＤ
２６…記録媒体
２７…レリーズスイッチ
２８…ＩＳＯ感度設定部（感度設定部）
【図１】
2008136147.tif 000003
【図２】
2008136147.tif 000004
【図３】
2008136147.tif 000005
【図４】
2008136147.tif 000006